(57)【要約】【課題】作業者の手が届き難いような箇所でも容易にねじ回しすること。【解決手段】本発明のねじ回し工具（１、５）は、雄ねじ（２）に嵌合するシャフト（１１）と、シャフトを回転可能に支持する支持部材（１４、５２）と、シャフトの軸心まわりに糸（１３）が巻き付けられてシャフトと一体に回転する糸巻き付け部（１２）とを備え、片手でねじ回し工具を支えつつ、空いている手で糸巻き付け部から糸を引き出すことで雄ねじを連続的に回転させるように構成した。【選択図】図２
2015131366.tif 000002
【特許請求の範囲】
【請求項１】
雄ねじを回転させるシャフトを有するねじ回し工具であって、
該シャフトの外側に糸を巻き付ける糸巻き付け部と、該糸巻き付け部に巻き付けられた糸の端を引っ張り該シャフトが回転可能に該シャフトを支持する支持部材と、から少なくとも構成されるねじ回し工具。
【発明の詳細な説明】
【技術分野】
【０００１】
本発明は、雄ねじを回すねじ回し工具に関し、特にウエーハを加工する加工装置の各種部材の交換等に使用されるねじ回し工具に関する。
【背景技術】
【０００２】
従来、ウエーハを加工する加工装置において、ドライバや六角レンチ等のねじ回し工具を用いて装置各部の部材の交換等が行われている。この場合、雄ねじの頭部に形成された嵌合穴にねじ回し工具の刃先を嵌め込み、ねじ回し工具を回転させてネジを締めたり緩めたりしている。このような、ねじ回し工具として、雄ねじの頭部の嵌合穴からの工具の刃先の浮き上がりを防止して、ネジに対する工具の刃先の係合力を高めたものも知られている（特許文献１参照）。
【先行技術文献】
【特許文献】
【０００３】
【特許文献１】特開２０１０−２３１３９号公報
【発明の概要】
【発明が解決しようとする課題】
【０００４】
しかしながら、特許文献１に記載のねじ回し工具では、ネジの頭部の嵌合穴からの工具先端の浮き上がりを防止できるものの、作業者の手が届き難いような箇所の作業が困難になっている。特に、作業者が片手の指先しか届かないような箇所では、ねじ回し工具をネジの頭部に繰り返し差し直して少しずつネジを回転させなければならない。さらに、このような箇所に多数のネジがある場合には、非常に煩わしい作業になっていた。
【０００５】
本発明はこのような点に鑑みてなされたものであり、作業者の手が届き難いような箇所でも、容易にねじ回しすることができるねじ回し工具を提供することを目的とする。
【課題を解決するための手段】
【０００６】
本発明のねじ回し工具は、雄ねじを回転させるシャフトを有するねじ回し工具であって、該シャフトの外側に糸を巻き付ける糸巻き付け部と、該糸巻き付け部に巻き付けられた糸の端を引っ張り該シャフトが回転可能に該シャフトを支持する支持部材と、から少なくとも構成される。
【０００７】
この構成によれば、糸巻き付け部に巻き付けられた糸を引っ張るだけで、シャフトを介して雄ねじが回転される。作業者の手が届き難いような箇所においては、事前に糸の端を作業者の傍まで引き出しておくことで、片手でねじ回し工具を支えて、空いている手で糸を引っ張ることで雄ねじを回転させることができる。また、多数の雄ねじを回す場合であっても、糸巻き付け部に長めに糸を巻き付けておくことで、個々の雄ねじの回し終える度に、糸巻き付け部に糸を巻き直す必要がない。
【発明の効果】
【０００８】
本発明によれば、糸巻き付け部に巻き付けられた糸を引き出すことによってシャフトを回転させるようにしたので、作業者の手が届き難いような箇所でも、容易にねじ回しすることができる。
【図面の簡単な説明】
【０００９】
【図１】本実施の形態に係るねじ回し工具の斜視図である。
【図２】本実施の形態に係るねじ回し工具を用いたねじ回し作業の説明図である。
【図３】変形例に係るねじ回し工具を用いたねじ回し作業の説明図である。
【発明を実施するための形態】
【００１０】
以下、添付図面を参照して、本実施の形態に係るねじ回し工具について説明する。図１は、本実施の形態に係るねじ回し工具の斜視図である。ここでは、ねじ回し工具を用いて、雄ねじを介して装置の設置部に部材を取り付ける場合を例示して説明する。
【００１１】
図１に示すように、ねじ回し工具１は、シャフト１１の外側に巻かれた糸１３の引き出し動作をシャフト１１の回転動作に変換して、シャフト１１に嵌合された雄ねじ２を回すように構成されている。ねじ回し工具１のシャフト１１の刃先１６は、雄ねじ２の頭部２５の嵌合穴２６に差し込まれるように、先端に向かって尖った十字状に形成されている。また、シャフト１１の基端側には円柱状の糸巻き付け部１２が固定されており、糸巻き付け部１２の外周面１７にはシャフト１１の軸心まわりに糸１３が巻き付けられている。糸１３の一端は糸巻き付け部１２に固定されており、糸１３の他端は糸巻き付け部１２から引き出されている。
【００１２】
また、ねじ回し工具１には、シャフト１１を回転可能に支持する支持部材１４が設けられている。支持部材１４は、円盤状の押え部２１の下面２２から突起部２３を突出させた形状を有しており、糸巻き付け部１２の上面１８に突起部２３を突き当てるように構成されている。この場合、突起部２３は先端に向かって先細に形成され、糸巻き付け部１２の上面１８の中心には円形の窪み１９が形成されている。この窪み１９はシャフト１１の軸心に位置するため、支持部材１４の突起部２３の先端が糸巻き付け部１２の窪み１９に突き立てられることで、突起部２３によってシャフト１１が軸心回りに回転可能に支持される。
【００１３】
このように構成されたねじ回し工具１は、部材３の通し穴３１を通じて雄ねじ２の先端が設置部４の雌ねじ４１に位置付けられた状態で、シャフト１１の刃先１６が雄ねじ２の嵌合穴２６に差し込まれる。そして、糸巻き付け部１２に巻き付けられた糸１３の他端が引っ張られることで、支持部材１４の突起部２３を支点としてシャフト１１に嵌合された雄ねじ２が回される。これにより、設置部４の雌ねじ４１に対して雄ねじ２が締め込まれて、設置部４に対して部材３が仮締めされる。設置部４に対しして部材３が仮締めされた後には、不図示のドライバ等によって雄ねじ２が本締めされてもよい。
【００１４】
図２を参照して、ねじ回し工具を用いたねじ回し作業について説明する。図２は、本実施の形態に係るねじ回し工具を用いたねじ回し作業の説明図である。
【００１５】
図２に示すように、部材３の通し穴３１に雄ねじ２の先端が挿入され、通し穴３１の内側で設置部４の雌ねじ４１の開口端に対して雄ねじ２の先端が位置合わせされる。次に、シャフト１１の刃先１６が雄ねじ２の頭部２５の嵌合穴２６に嵌合され、さらに支持部材１４の突起部２３が糸巻き付け部１２の窪み１９に突き立てられる。このとき、片手の指先で押え部２１が糸巻き付け部１２の窪み１９に向けて押え付けられることで、雄ねじ２とシャフト１１が直立姿勢で支持される。糸巻き付け部１２の窪み１９には突起部２３の先端が回転可能に突き立てられているため、シャフト１１、雄ねじ２、雌ねじ４１の軸心まわりの回転軸が形成される。
【００１６】
また、糸巻き付け部１２からは糸１３の他端側が延出しており、空いている手の指先で糸１３の他端を掴んで引っ張ることで、突起部２３と窪み１９との当接箇所を中心としてシャフト１１が軸心まわりに回転される。これにより、シャフト１１と共に雄ねじ２が回転して雄ねじ２が雌ねじ４１に入り込む。そして、糸巻き付け部１２から糸１３を引き出し続けることで、シャフト１１が連続的に回転されて設置部４の雌ねじ４１に雄ねじ２が締め込まれる。このように、糸巻き付け部１２に巻き付けられた糸１３の引き出しによって雄ねじ２を回すことが可能になっている。
【００１７】
このねじ回し工具１は、作業者の手が届き難い箇所の雄ねじ２を回すのに有効である。例えば、従来のドライバで作業者の片手の指先しか届かないような箇所の雄ねじ２を回すためには、ドライバの刃先を雄ねじ２の頭部２５に繰り返し挿し直して雄ねじ２を少しずつ回転させる必要がある。すなわち、片手の指先でしかドライバのグリップを掴めないので、ドライバで雄ねじ２を連続的に回すことはできない。一方で、本実施の形態に係るねじ回し工具１の場合には、片手の指先でねじ回し工具１を支えており、空いている手で糸１３を引っ張ることでシャフト１１が回転される。
【００１８】
この場合、糸巻き付け部１２から糸１３を引き出し続けるだけで、雄ねじ２を連続的に回すことができる。また、作業者の手が届き難い箇所で多数の雄ねじ２を回す場合でも、糸１３を糸巻き付け部１２に長めに巻き付けておくことで、糸を巻き直すことなく多数の雄ねじ２を一つずつ締め込むことができる。なお、ねじ回し工具１では、糸１３を引っ張ることでシャフト１１が回転されるため、雄ねじ２が弱いトルクで締め付けられる。このため、雄ねじ２を締め付けすぎることがなく、多数の雄ねじ２を略均等に締め付けることもできる。
【００１９】
なお、本実施の形態では、ねじ回し工具１を用いて雄ねじ２を締め込む構成について説明したが、雄ねじ２の回転方向を変えることで雄ねじ２を緩めることも可能である。この場合、糸巻き付け部１２の糸１３の巻き付け方向が逆向きになるように巻き直してもよいし、事前に糸１３が逆向きに巻き付けられた糸巻き付け部１２を用意してもよい。
【００２０】
ところで、上記のねじ回し工具１で手が届き難い箇所の雄ねじ２を回す際には、片手でねじ回し工具１を支えているため、片腕を伸ばした状態で作業するような無理な作業姿勢をとる場合がある。そこで、本実施の形態に係る支持部材１４に代えて、図３に示すようなアーム付きの治具５０（支持部材）を用いる構成にしてもよい。
【００２１】
以下、図３を参照して変形例に係るねじ回し工具について説明する。図３は、変形例に係るねじ回し工具を用いたねじ回し作業の説明図である。変形例に係るねじ回し工具は、本実施の形態に係るねじ回し工具と、支持部材の代わりにアーム付きの治具を用いた点についてのみ相違している。したがって、主に相違点について説明する。
【００２２】
図３に示すように、変形例に係る治具５０は、アーム５１の先端にシャフト１１を回転可能に支持する支持部５２を設けて構成されている。支持部５２は中空の円筒状に形成されており、支持部５２の内側にはシャフト１１に固定された基端側の糸巻き付け部１２が収容されている。支持部５２の上壁５３の中央には糸巻き付け部１２の窪み１９に突き当たる突起部５４が形成され、上壁５３の外周側には糸巻き付け部１２を支持部５２の中央にガイドする環状のガイド部５５が形成されている。支持部５２の底壁５６の中央にはシャフト１１の先端側を突出させる開口５７が形成されており、底壁５６の開口５７と上壁５３のガイド部５５によってシャフト１１の搖動が抑えられている。また、支持部５２の側壁５８の一部には、支持部５２内の糸巻き付け部１２から外部に糸１３を引き出すための開口５９が形成されている。
【００２３】
このような構成により、アーム５１の基端側を把持して、ねじ回し工具５を支えることができるため、無理な姿勢をとることなく手の届き難い箇所の雄ねじ２を回すことができる。この場合、通し穴３１の内側で設置部４の雌ねじ４１の開口端に対して雄ねじ２の先端が位置合わせされた状態で、シャフト１１の刃先１６が雄ねじ２の頭部２５の嵌合穴２６に嵌合される。このとき、アーム５１を片手で把持することで、支持部５２の突起部５４が糸巻き付け部１２の窪み１９に突き立てられて、雄ねじ２とシャフト１１が直立姿勢で支持される。そして、支持部５２の開口５９から延出された糸１３の他端側が、空いている手で引き出されることでシャフト１１が軸心まわりに回転される。
【００２４】
これにより、シャフト１１と共に雄ねじ２が連続的に回転して設置部４の雌ねじ４１に雄ねじ２が締め込まれる。このように、変形例に係るねじ回し工具５を用いても、糸巻き付け部１２に巻き付けられた糸１３の引き出しによって雄ねじ２を回すことが可能になっている。
【００２５】
以上のように、上記したねじ回し工具１、５では、糸巻き付け部１２に巻き付けられた糸１３を引っ張るだけで、シャフト１１を介して雄ねじ２が回転される。作業者の手が届き難いような箇所においては、事前に糸１３の端を作業者の傍まで引き出しておくことで、片手でねじ回し工具１、５を支えて、空いている手で糸１３を引っ張ることで雄ねじ２を回転させることができる。また、多数の雄ねじ２を回す場合であっても、糸巻き付け部１２に長めに糸１３を巻き付けておくことで、個々の雄ねじ２の回し終える度に、糸巻き付け部１２に糸１３を巻き直す必要がない。
【００２６】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００２７】
例えば、本実施の形態及び変形例に係るねじ回し工具１、５では、シャフト１１の刃先１６が十字状に形成される構成としたが、この構成に限定されない。シャフト１１の刃先１６は、雄ねじ２の嵌合穴２６に嵌合可能な形状であればよく、例えば、すり割り付きの雄ねじ２の場合にはシャフト１１の刃先１６が一字状に形成されてもよい。さらに、六角穴付きの雄ねじ２の場合にはシャフト１１の刃先１６が六角状に形成され、ボルトの場合にはシャフト１１の刃先１６にソケットが設けられてもよい。
【００２８】
また、本実施の形態及び変形例においては、糸巻き付け部１２が円筒状に形成される構成としたが、この構成に限定されない。糸巻き付け部１２は、シャフト１１の外側に糸１３を巻き付け可能であれば、どのように構成されてもよい。例えば、糸巻き付け部１２は、多角形状の外周面を有していてもよい。
【００２９】
また、本実施の形態においては、支持部材１４は、円板状の押え部２１の下面２２から突起部２３を突出させた形状としたが、この構成に限定されない。支持部材１４は、糸巻き付け部１２に巻き付けられた糸１３の端を引っ張ることで、シャフト１１を回転可能に支持するように構成されていれば、どのように構成されてもよい。同様に、変形例に係る治具５０においても、糸巻き付け部１２に巻き付けられた糸１３の端を引っ張ることで、シャフト１１を回転可能に支持するように構成されていれば、どのように構成されてもよい。
【００３０】
また、本実施の形態及び変形例においては、糸巻き付け部１２から糸１３の片端を延出させて、この片端を引っ張ることでシャフト１１が一方向に回転する構成としたが、この構成に限定されない。糸巻き付け部１２から糸１３の両端を延出させて、一端を引っ張ることで一方向に回転させ、他端を引っ張ることで逆方向に回転させる構成にしてもよい。
【００３１】
また、本実施の形態及び変形例においては、糸巻き付け部１２にシャフト１１が固定されている構成としたが、この構成に限定されない。糸巻き付け部１２はシャフト１１に付け替え可能に構成されていてもよい。これにより、糸１３が巻き出され終わった糸巻き付け部１２を、新たな糸巻き付け部１２を付け替えて作業を継続することができる。
【産業上の利用可能性】
【００３２】
以上説明したように、本発明は、作業者の手が届き難いような箇所でも、容易にねじ回しすることができるという効果を有し、特にウエーハを加工する加工装置の各種部材の交換等に使用されるねじ回し工具に有用である。
【符号の説明】
【００３３】
１、５  ねじ回し工具
１１  シャフト
１２  糸巻き付け部
１３  糸
１４  支持部材
５０  治具（支持部材）
【図１】
2015131366.tif 000003
【図２】
2015131366.tif 000004
【図３】
2015131366.tif 000005